(57)【要約】      （修正有）【課題】玄関やキッチン等の高所に取付ける収納体の扉を、軽い引張力で扉を上方へ開扉し、開扉された扉が天井に衝突せず、天井に対して略平行に位置するようにする。【解決手段】扉開閉部材３を動作させると、第二ヒンジ５の下部リンクＡ５１及び下部リンクＢ５２の回動軌跡に沿って、扉開閉部材固定具５４が扉開閉部材３を収納体１の開口部前面に移動し、扉開閉部材固定具５４の端部に軸止されるステー８を介して、収納体１の上部内壁に取付けられた第一ヒンジ４の上部固定板４２に軸着された上部リンク４１が回動を始め、扉２の下端に配された扉ガイド６に軸止されたローラー６１がガイドレール７に沿って上方に移動を開始し、扉２は第一ヒンジ４の扉固定部材４３が扉２の縦幅の半分よりも下方に固定され、ローラー６１が徐々に上方に移動するため、収納体１の開口部外方向に倒れこむような前傾姿勢をもって開扉するため、天井に対して概ね平行に移動し、天井に衝突することなく、完全に開扉した状態では天井に略平行に位置して止まることができる。【選択図】図１
2005083182.tif 000002
【特許請求の範囲】
【請求項１】
収納体の前面に具備される扉の開閉装置であって、収納体の内壁上部に配され一端が扉の裏面に取付けられる第一ヒンジ部材と、収納体内壁下部に配され一端が扉開閉部材に取付けられる第二ヒンジ部材と、第一ヒンジと第二ヒンジを結ぶステーと、前記収納体の開口部近辺に取付けられるガイドレールと、前記ガイドレール内を自在に移動するローラーを配し、扉の裏面下部に取付けられた扉ガイドから構成され、前記第一ヒンジ部材の一端は、扉の縦幅の中心位置より下方に取付けられ、扉開閉部材を収納体の手前に引く動作に連動して、第一ヒンジの一端が扉を収納体前面の外方向に押し出すごとくに動作し、ローラーを介して扉ガイドがガイドレール内を上方に移動し、軽い操作力で扉を収納体の外方向に傾きながら上方へ開扉し、開扉された扉が天井に衝突することなく、天井に対して略平行に位置するよう設けた扉の開閉装置。
【請求項２】
ローラーを配した扉ガイドは略Ｌ字形状に形成され、扉裏面下端部より突出するがごとくに設けられた請求項１記載の扉の開閉装置。
【請求項３】
第一ヒンジと第二ヒンジを結ぶステーを複数にして設けられた請求項１または２記載の扉の開閉装置。
【発明の詳細な説明】
【発明の詳細な説明】
【技術分野】
【０００１】  本発明は、玄関やキッチン等の高所に取付けられる収納体の前面に具備される扉の開閉装置であって、特に扉を上方に開扉する扉の開閉装置に関するものである。
【従来技術とその問題点】
【０００２】  従来の扉の開閉装置は、図８に示すように、一対のリンク機構によって扉を上方へ移動させるものであって、開扉時において収納体の前面に一度大きく迫り出しながら上方に開扉するものであった。
【０００３】    また、特開２０００−２６２３３５号公報に記載されているように、キャビネット内に配した可動体を移動自在に支持する可動支持機構と、キャビネット体に設けた扉体と、可動体をキャビネットから出し入れする操作に連動して扉体を開閉させる扉開閉手段と、扉体の重量を相殺する方向に付勢する扉付勢手段とで構成され、可動体を出し入れする一回の動作だけで扉体を有するキャビネット内に格納された可動体を出し入れすることができる。また、扉付勢手段による付勢力は、扉体の重量をキャンセルする方向に作用し、軽い操作力で可動体と扉体を連動させることができるものであって扉体は、上方へ開放する構成であった。
【発明が解決しようとする課題】
【０００４】  しかしながら、玄関やキッチン等の高所に取付けられる収納体の前面に具備される扉を開閉するに際しては、収納体開口部近くの床等に踏み台を置き、前記踏み台の上に上って扉を開閉するしかなかったが、扉の開閉時において、扉が収納体の前面、つまり、扉を開けようとする人の顔面方向に向かって開くため、危険であった。
【０００５】  また、玄関やキッチン等の高所に取付けられる収納体の前面に具備される扉を上方向に上げて開扉するため、天井と収納体との隙間が狭い場合や、天井に接している場合においては、扉が天井に当るため、扉が開かないことがあり、取付け場所が限られていた。
【０００６】  本発明は、上記問題点を解決するために、扉開閉部材を収納体の手前に引く動作に連動して、ローラーを配した扉ガイドがガイドレール内を上方に移動し、軽い引張力で扉を上方へ開扉し、開扉された扉が天井に衝突せず、天井に対して略平行に位置するよう設けた扉の開閉装置を提供する。
【課題を解決するための手段】
【０００７】  以上の課題を解決するために、本発明の請求項１による扉の開閉装置は、収納体の前面に具備される扉の開閉装置であって、収納体の内壁上部に配され一端が扉の裏面に取付けられる第一ヒンジ部材と、収納体内壁下部に配され一端が扉開閉部材に取付けられる第二ヒンジ部材と、第一ヒンジと第二ヒンジを結ぶステーと、前記収納体の開口部近辺に取付けられるガイドレールと前記ガイドレール内を自在に移動するローラーを配し、扉の裏面下部に取付けられた扉ガイドから構成され、前記第一ヒンジ部材の一端は、扉の縦幅の約半分の位置より下方に取付け、扉開閉部材を収納体の手前に引く動作に連動して、第一ヒンジの一端が扉を収納体の外方向に押し出す
ごとくに動作し、ローラーを介して扉ガイドがガイドレール内を上方に移動し、軽い操作力で扉を収納体の外方向に傾きながら上方へ開扉し、開扉された扉が天井に衝突することなく、天井に対して略平行に位置するよう設けたことにある。
【０００８】  上記構成によれば、扉開閉部材を収納体の手前に引くと、収納体内壁下部に配され一端が扉開閉部材に取付けられる第二ヒンジ部材の動作がステーを介して収納体の内壁上部に配され一端が扉の裏面に取付けられる第一ヒンジ部材に伝達され、ローラーを配した扉ガイドがガイドレール内を上方に移動し扉が開きはじめるが、この時、第一ヒンジ部材の一端は、扉の縦幅の中心位置より下方に配される扉固定部材に軸止されて取付けられるため、扉上端部に掛かる扉自身の重量で、ローラーを軸として収納体の前面外方向に倒れ込むような形で扉上端部は収納体前面に送り出され、扉下端は扉ガイドによって、収納体開口部近辺に位置するガイドレール内をローラーは上方に移動するため、扉は収納体の前面上方に傾斜しながら開扉し、扉は天井に衝突することなく、最終的には天井に略平行な形で開扉する。
【０００９】  本発明の請求項２による扉の開閉装置は、ローラーを配した扉ガイドは略Ｌ字形状に形成され、扉裏面下端部より突出するように設けたことにある。
【００１０】  上記構成によれば、収納体の開口部近辺に取付けられるガイドレール内を自在に移動するローラーは、扉裏面の下端より突出して固定された略Ｌ字形状の扉ガイドに回転自在に軸止されるが、使用する扉が収納体前面を覆う形のアウトセット扉を使用し、扉が収納体の前面上方に傾斜しながら開扉するため、扉の下端部と収納体の前面が接触しないよう設けてある。
【００１１】  本発明の請求項３による扉の開閉装置は、第一ヒンジと第二ヒンジを結ぶステーを複数にするように設けたことにある。
【００１２】  上記構成によれば、第一ヒンジと第二ヒンジを結ぶステーを複数にすることにより、扉開閉部材を収納体の手前に引く場合に、第二ヒンジの少ない動作で第一ヒンジの上部リンクの動きを大きくし、扉ガイドの移動量も大きく取れ、より軽い扉開閉部材の引張力で扉を開扉することが可能になるため、寸法の大きな扉には有効である。
【００１３】  したがって、第一ヒンジの一端を扉の縦幅の中心位置より下方に設けることにより、開扉時に扉上端部に掛かる負荷が、扉の移動に伴って付加位置が移動することにより、扉開閉部材を軽く引くだけで、扉を上方に開扉できると共に、使用する扉は一般的に用いられているアウトセット扉の使用が可能となるので、使用する扉の種類を選ばない構成となっている。
【発明を実施するための最良の形態】
【００１５】  以下、本発明の扉の開閉装置の実施形態を図にもとづいて説明する。【００１６】  図１は、本発明の実施形態の扉の開閉装置を示す閉扉時の側面図であり、扉２と扉開閉部材３が上下に平行に収納体１の前面に具備されている。【００１７】    図２は、本発明の実施形態の扉の開閉装置を示す開扉時の側面図であり、扉２が天井に対して略平行に収納体１の開口部前面に位置していることを示している。【００１８】  図１および図２において、４は収納体１の内壁上部に配される第一ヒンジ、５は収納体１の内壁下部に配される第二ヒンジ、６は扉２の裏面下部に取付けられる扉ガイド、７は収納体１の開口部近辺に取付けられるガイドレールあり、８は第一ヒンジ４と第二ヒンジ５を結ぶステーである。【００１９】  図３は、本発明の実施形態の開扉状態における第一ヒンジ４の詳細を説明する斜視図である。【００２０】  図３によれば、第一ヒンジ４は、収納体１の内壁上部にねじで取付けられる上部固定板４２に回動自在に軸止された略Ｌ字形状に形成された上部リンク４１と、上部リンク４１の一端は扉２の裏面に、扉２の縦幅の中心位置より下方にねじで回動自在に固定される扉固定部材４３に軸止され、他端は収納体１の内壁に沿って下方に伸び、ステー８と回動自在に軸着される。【００２１】  図４は、本発明の実施形態の開扉状態における第二ヒンジ５の詳細を説明する斜視図である。【００２２】  図４によれば、第二ヒンジ５は、収納体１の内壁下部にねじで取付けられる下部固定板５３に一端は回動自在に軸止され、他端は扉開閉部材固定具５４に回動自在に軸止された略Ｌ字形状に形成された下部リンクＡ５１と、同様に下部固定板５３に回動自在に一端を軸止され、他端は扉開閉部材固定具５４に回動自在に軸止された略へ字形状に形成された下部リンクＢ５２と、一端は扉開閉部材３の裏面に固定され、他端はステー８と回動自在に軸止され、扉開閉部材３の開閉動作とともに作動する、前記扉開閉部材固定具５４で構成される。【００２３】  また、前述したようにステー８の一端は、収納体１の内壁に沿って下方に伸び、第一ヒンジ４を構成する略Ｌ字形状に形成された上部リンク４１と回動自在に軸着され、もう一端は第二ヒンジ５の構成部材である扉開閉部材固定具５４に回動自在に軸止され、第一ヒンジ４と第二ヒンジ５を連結し、第一ヒンジ４およびの第二ヒンジ５の動作を一元化している。【００２４】  図５は、本発明の実施形態の扉ガイド６の詳細を説明する斜視図である。【００２５】    収納体１の開口部近辺に取付けられるガイドレール７内を自在に移動するローラー６１を扉固定部材６２に回転自在に軸止され、扉２の裏面下端に取付けられた扉ガイド６を構成するが、ローラー６１を軸止する扉固定部材６２は略Ｌ時形状に形成され、ローラー６１は扉２の下端より外側に配される。【００２６】  これは、扉２の下端部のエッヂ部分が収納体１の開口部前面に当接するのを防止するとともに、扉２の縦幅の中心位置より下方にねじで回動自在に固定される第一ヒンジ４の扉固定部材４３と対応し、扉２が開扉状態において扉２下端が収納体１の開口部前面に一定の距離を保って位置し、常に前傾姿勢を維持するためでもある。【００２７】  この時、ガイドレール７は溝状に形成されたものでも、市販されるボールベアリング入りのレール等でもよく、また、扉２の下端が円滑に収納体１の開口部付近を上下できる構成であれば、特にローラー６１を設定しなくてもよい。【００２８】  以上のことから、収納体１の開口部前面に取付けられる扉２は、扉開閉部材３を前記収納体１の開口部前面に引くと、第二ヒンジ５の下部リンクＡ５１・下部リンクＢ５２の回動軌跡に沿って扉開閉部材固定具５４が、扉開閉部材３とともに回動し、前記扉開閉部材固定具５４の一端に連結されるステー８を作動させろ。【００２９】  よって、扉開閉部材固定具５４の回動動作に連結されるステー８が収納体１の内壁に沿って下方に引かれて移動し、第一ヒンジ４の上部リンク４が回動し始め、扉２を収納体１の開口部外方向に押し出す形となり、扉２は自身の自重で収納体１の開口部外方向に倒れ掛かる格好に前傾姿勢となる。【００３０】  この時、扉２の動きに対応して、扉２の裏面下端に取付けられた扉ガイド６に配されたローラー６１がガイドレール７内を上方に移動を始めており、前記したように、扉２自身の自重で収納体１の開口部外方向に倒れ掛かる格好で前傾する扉２を下方で保持するのであるが、以上の各部品の各々の動作は一連の動作であることは当然である。【００３１】  さらに、扉２の上部が自身の自重で収納体１の開口部外方向に倒れ掛かる格好で前傾すると同時に扉２の下部が収納体１の上方へ上がり始めるため、扉２の上端は天井に対して概ね平行に移動するため、扉２は天井に衝突することなく、軽い力で開扉する。【００３２】  また、開閉時においては、扉開閉部材３を押し戻すと、扉２の自重と扉開閉部材３を閉じようとする力が同調し、扉２を閉扉方向に押し下げようとする力が働くため、扉２は閉じ始めるが、扉２の大きさや重さによっては第一ヒンジ４の上部リンク４１とステー８を軸止する位置付近に重りを負荷することにより、より円滑な開閉動作が得られる。【００３３】  図６は、本発明の実施形態の開扉時における収納体１の全体斜視図である。【００３４】  この時、扉開閉部材３が収納体１の床面よりも下方に下がって開いているが、収納体１内に収納された物品を取り出す時に扉開閉部材３の上端に当たって物品を取り落とさないようにするためである。【００３５】  図７は、本発明の請求項３の実施形態を示した扉２の開閉装置を示す開扉時及び閉扉時の側面図である。【００３６】  図７によると、ステー８−１の一端は第一ヒンジ４の上部リンク４１の端部に回動自在に軸止され、他端はステー８−２の一端に回動自在に軸止され、ステー８−２は全長の約３分の２の付近で収納体１の側壁に回動自在に軸止されて取付けられ、他の一端をステー８−３の一端に回動自在に軸止されている。【００３７】  ステー８−３は、第二ヒンジ５の略Ｌ字形状に成形された下部リンクＡ５１の一端に回動自在に軸止され、扉開閉部材３の開閉動作に対してステー８−２のシーソー運動の量がステー８−２の全長に対する収納体１の内壁への取付け位置の設定によって、扉２の開閉量をコントロールすることが可能となるため、扉開閉部材３の動作量を少ない動作で扉２を開閉するためには有効である。【００３８】  図８は、従来の��２の開閉方法を示す開扉時及び閉扉時の側面図である。【００３９】  図８のように、一対のリンク機構によって扉２を上下方向へ移動させるものであって、開扉時において、収納体１の開口部前面に一度大きく迫り出しながら上方に収納対１の開口部に平行に開扉するものであり、収納体１と天井の隙間を大きく取る必要があり、さらに、扉２の自重を打ち消すために何らかの付勢装置の取付けが必要不可欠であった。【００４０】  以上の通り、本発明の実施形態によれば、扉開閉部材３を動作させると、第二ヒンジ５の下部リンクＡ５１及び下部リンクＢ５２の回動軌跡に沿って、扉開閉部材固定具５４が扉開閉部材３を収納体１の開口部前面に移動し、扉開閉部材固定具５４の端部に軸止されるステー８を介して、収納体１の上部内壁に取付けられた第一ヒンジ４の上部固定板４２に軸着された上部リンク４１が回動を始め、扉２の下端に配された扉ガイド６に軸止されたローラー６１がガイドレール７に沿って上方に移動を開始し、扉２は第一ヒンジ４の扉固定部材４３が扉２の縦幅の半分よりも下方に固定され、ローラー６１が徐々に上方に移動するため、収納体１の開口部外方向に倒れこむような前傾姿勢をもって開扉し始める。【００４１】  扉２の上端は、収納体１の開口部外方向に倒れこむような前傾姿勢で開扉するため、天井に対して概ね平行に移動し、天井に衝突することなく、完全に開扉した状態では天井に略平行に位置して止まることができる。
【発明の効果】
【００４２】  以上のように本発明の扉の開閉装置は、扉開閉部材を引くことにより、収納体１下部に配された第二ヒンジの下部リンクＡ及び下部リンクＢの回動軌跡に沿って、扉開閉部材固定具が扉開閉部材を収納体の開口部前面に移動し、扉開閉部材固定具の端部に軸止されるステーを介して、収納体の上部内壁に配される第一ヒンジの上部リンクが回動を始め、扉の下端に配された扉ガイドに軸止されたローラーがガイドレールに沿って上方に移動を開始し、扉は第一ヒンジの扉固定部材が扉の縦幅の半分の位置よりも下方に固定され、ローラーが徐々に上方に移動するため、収納体の開口部外方向に倒れこむような前傾姿勢をもって開扉するため、扉上端は天井に対して概ね平行に移動し、天井に衝突することなく、完全に開扉した状態では天井に略平行に位置する。
【００４３】  したがって、玄関やキッチン等の高所に取付けられる収納体の前面に具備される扉を上方向に上げて開扉するとき、天井と収納体との隙間が狭い場合や、天井に接している場合においても使用可能であり、取付け場所を選ばない。
【００４４】  また、扉の上部が自身の自重で収納体の開口部外方向に倒れ掛かる格好で前傾すると同時に扉の下部が収納体の上方へ上がり始め、扉の上端は天井に対して概ね平行に移動するため、扉は天井に衝突することなく、他に、付勢手段を追加することなく軽い力で開扉することができる。
【００４５】    さらに、本発明の扉の開閉装置は、第一ヒンジの一端を扉の縦幅の中心位置より下方に設けることにより、開扉時に扉上端部に掛かる負荷が、扉の移動に伴って付加位置が移動するため、扉開閉部材を軽く引くだけで、扉を上方に開扉できると共に、使用する扉は一般的に用いられているアウトセット扉の使用が可能となるので、使用する扉の種類を選ばない構成であるため、施工性も向上しコストダウンにもなる。
【図面の簡単な説明】
【図１】本発明の実施形態の扉の開閉装置を示す閉扉時の側面図
【図２】本発明の実施形態の扉の開閉装置を示す開扉時の側面図
【図３】本発明の実施形態の開扉状態における第一ヒンジ４の詳細を説明する斜視図
【図４】本発明の実施形態の開扉状態における第二ヒンジ５の詳細を説明する斜視図
【図５】本発明の実施形態の扉ガイド６の詳細を説明する斜視図
【図６】本発明の実施形態の開扉時における収納体の全体斜視図
【図７】本発明の他の実施形態を示した扉の開閉装置を示す開扉時及び閉扉時の側面図
【図８】従来の扉の開閉方法を示す開扉時及び閉扉時の側面図
【符号の説明】
１      収納体
２      扉
３      扉開閉部材
４      第一ヒンジ部材
４１    上部リンク
５      第二ヒンジ部材
５１    下部リンクＡ
５２    下部リンクＢ
５４    扉開閉部材固定具
６      扉ガイド
６１    ローラー
７      ガイドレール
８      ステー
【図１】
2005083182.tif 000003
【図２】
2005083182.tif 000004
【図３】
2005083182.tif 000005
【図４】
2005083182.tif 000006
【図５】
2005083182.tif 000007
【図６】
2005083182.tif 000008
【図７】
2005083182.tif 000009
【図８】
2005083182.tif 000010